(57)【特許請求の範囲】
【請求項１】
外層(2)の内面に該外層(2)から剥離可能な内層(3)を積層し、上部に内容物の流路(27)を形成する本体口部(6)を設け、有底筒形状の底部(12) の底板壁(13)下面に、パーティングライン(P)に沿って、外層(2)に形成された食い切り部(14)を開口し、該開口により前記外層(2)と前記内層(3)との間に外部の空気を導入する空気導入部(15)を開設したスクイズ変形可能な容器本体(1)と、
整列した複数の櫛歯片(61)と内容物を注出する注出孔(65)を有し、前記本体口部(6)と連通する注出路(63)を設けた櫛体(60)と、前記容器本体(1)内への内容物の逆流および外部の空気の流入を不能に前記流路(27)を開閉する、前記本体口部(6)に設けた第１逆止弁体(30)と、前記底部(12)に外嵌組付きする筒壁(41)を有し、前記空気導入部(15)に外部の空気を導入する通気孔(44)を設けた有底状のベースカップ(40)と、該ベースカップ(40)に組付き固定する、前記通気孔(44)から外部の空気を前記空気導入部(15)に導入し、導入した空気の逆流を防止する第２逆止弁体(50)と、から構成した櫛歯容器。
【請求項２】
容器本体(1)の底部(12)外周面に、凹溝(16)を周設し、該凹溝(16)にＯリング(17)を設け、ベースカップ(40)を容器本体(1)の底部(12)に密に外嵌した請求項１記載の櫛歯容器。
【請求項３】
第１逆止弁体(30)及び第２逆止弁体(50)を、リング片(31)(51)と、該リング片(31)(51)と連結片(32)(52)を介して、該連結片(32)(52)を基端として揺動可能に、容器本体(1)の本体口部(6)若しくはベースカップ(40)の通気孔(44)を塞ぐ開閉弁(33)(53)とから構成した請求項１または２記載の櫛歯容器。
【請求項４】
ベースカップ(40)に、容器本体(1)の底板壁(13)に対して、パーティングライン(P)に押圧力を作用させる押圧機能部(45)を設けた請求項１、２または３記載の櫛歯容器。
【請求項５】
容器本体(1)の本体口部(6)に、上部を開口して内容物の流路(27)の一部を構成し、櫛体(60)を取付ける取り付け部(26)と、容器本体(1)の本体口部(6)に組付き固定する組付き筒(23)と有する取り付け部材(20)を設けた請求項１、２、３または４記載の櫛歯容器。
【請求項６】
櫛体(60)の一方の側面に、櫛歯片(61)を設けた請求項１、２、３、４または５記載の櫛歯容器。
【請求項７】
櫛体(60)の上面に、櫛歯片(61)を起立設した請求項１、２、３、４または５記載の櫛歯容器。
【発明の詳細な説明】
【０００１】
【発明の属する技術分野】
本発明は、容器内部へ外気を進入させることなく、櫛歯の間に内容物の注出が可能な櫛歯容器に関し、特に、定形に成形された外層と、該外層に剥離可能に積層した内層とから構成される、スクイズ変形可能な容器本体と、この容器本体の底部に外嵌組付けされるベースカップとの組合わせ構造とから成る櫛歯容器に関する。
【０００２】
【従来の技術】
たとえば、白髪染め等の染毛剤を収納する容器としては、特開平９−２３９２２号公報に、櫛歯の間から内容物の注出が可能な櫛歯体を設け、内容液を直接頭髪に塗布することができるようにしたものが記述されている。
【０００３】
この櫛歯容器は、内容物である染毛剤等の頭髪化粧料を櫛歯の間に注出し、櫛歯体から頭髪に直接化粧料を塗布することができるため、染毛操作を効率的に行うことができるため、便利である。
【０００４】
【発明が解決しようとする課題】
櫛歯容器は、櫛歯容器の胴部を複数回押圧して、櫛歯片でブラッシング操作をしながら用いるものであり、櫛歯容器の方向性を問わずに内容物を注出できると、櫛歯片を伝わる内容物を塗布することができるので非常に便利である。
【０００５】
そこで、本発明は、外層から内層が剥離する積層容器に櫛体を設けた櫛歯容器を用いて、簡易な構成で実現可能な逆止弁機能の創出を技術的課題とし、もって生産性が高く、外観上良好な、操作性の優れた櫛歯容器を提供することを目的とする。
【０００６】
【課題を解決するための手段】
上記技術的課題を解決するための本発明のうち、請求項１記載の手段は、
内容物を注出する櫛歯容器であること、
外層の内面に該外層から剥離可能な内層を積層し、上部に内容物の流路を形成する本体口部を設け、有底筒形状の底部の底板壁下面に、パーティングラインに沿って、外層に形成された食い切り部を開口し、この開口により外層と内層との間に外部の空気を導入する空気導入部を開設したスクイズ変形可能な容器本体を有すること、
整列した複数の櫛歯片と内容物を注出する注出孔を有し、容器本体の本体口部と連通する注出路を設けた櫛体を有すること、
容器本体内への内容物の逆流および外部の空気の流入を不能に流路を開閉する、容器本体の本体口部に設けた第１逆止弁体を有すること、
容器本体の底部に外嵌組付きする筒壁を有し、容器本体の空気導入部に外部の空気を導入する通気孔を設けた有底状のベースカップを有すること、
該ベースカップに組付き固定し、通気孔から外部の空気を容器本体の空気導入部に導入し、導入した空気の逆流を防止する第２逆止弁体を有すること、
にある。
【０００７】
請求項１記載の手段にあっては、スクイズ可能な容器本体の胴部を押圧すると、流路を閉塞していた第１逆止弁体が開放し、内容物が流路を構成する容器本体の本体口部及び櫛体の注出路を流通して、櫛体の注出孔から外部に注出され、櫛体を介して、頭髪に内容物を塗布することができる。
【０００８】
容器本体の押圧を解除すると、内容物の注出が止まり、外層が弾性回復力により元の形に復元し始め、第１逆止弁体の機能により、流路が閉塞されて、減圧状態となった容器本体内部への内容物の逆流および外部の空気の進入を防ぐことができる。
【０００９】
この際、内層は減容変形した状態を保持したままであるので、元の形に復元しようとする外層と、減容変形状態を保持する内層との間が減圧状態となり、第２逆止弁体がベースカップの通気孔を開放し、通気孔から外部の空気を空気導入部に導入して、外層と内層との間に空気を流入し、素早く外層を元の形状まで復元させる。
【００１０】
外層が元の状態に復元した後、再び容器本体の胴部を押圧すると、外層と内層との間が加圧状態となり、第２逆止弁体の機能により、通気孔を閉塞して、内層と外層との間に流入した空気の流出を防止する。このため、容器本体の胴部を押圧した際に、櫛歯容器がどのような方向であっても、内層と外層との間に存在する空気を介して、減容変形している内層内の内容物を加圧することができ、再び第１逆止弁体が本体口部を開放して、注出孔から内容物を確実に注出する。
【００１１】
容器本体の底部に空気導入部を開設した場合であっても、有底円筒状のベースカップを、容器本体の底部に外嵌しているため、ベースカップで容器本体の底部を補強し、櫛歯容器の底部分の形態を安定に維持する。
【００１２】
なお、注出孔は、内部に注出路を設けた柄部の一方の側面若しくは上面に直列かつ等間隔に起立設した櫛歯片の間に設けてもよく、整列した櫛歯片の中間部まで連通する注出路を設け、該櫛歯片の中間部に注出孔を設けてもよく、その他、楕円形状に形成した柄部の周囲に整列した櫛歯片を起立設し、周囲の櫛歯片により内容物を塗布できるように、楕円形状の柄部の内部に注出路を設け、該柄部の中間部に内容物を注出する注出孔を設けてもよい。
【００１３】
また、容器本体の底部の底板壁下面に、パーティングラインに沿って、外層に形成された食い切り部を開口して、空気導入部としたことにより、
相溶性の殆ど無い外層パリソンと内層パリソンとを共押し出しした積層パリソンを、金型のピンチオフ部で押し潰し成形される食い切り部に、容易に発生する底割れをそのまま空気導入部として用いることができ、面倒な後加工操作を必要とすることなく、空気導入部を外層に形成することができる。
【００１４】
底部のパーティングラインに沿って形成された食い切り部を開口して空気導入部とした場合、容器本体の底部が底割れした状態となるため、容器本体の底部の機械的強度が低下するが、本発明にあっては、有底円筒状のベースカップを、容器本体の底部に外嵌しているため、ベースカップで容器本体の底部を補強し、例えば、座機能が低下する等の不都合を発生することなく、櫛歯容器の底部分の形態を安定に維持した状態で構成することができる。
【００１５】
請求項２記載の発明の手段は、請求項１記載の発明において、容器本体の底部外周面に、凹溝を周設したこと、該凹溝にＯリングを設けたこと、該Ｏリングを介して、ベースカップを容器本体の底部に密に外嵌したこと、を加えたものである。
【００１６】
請求項２記載の発明にあっては、容器本体の底部に、ベースカップの筒壁を密に外嵌組付けする手段として、容器本体の底部にＯリングを設けているため、通気孔から導入した空気を底部とベースカップの間から漏出することなく、空気導入部から減容変形する内層と外層との間に空気を流入させて、素早く外層を元の形状に復元させることができる。
【００１７】
また、容器本体をスクイズ変形した際に、底部とベースカップの間から外層と内層との間に流入した空気を漏出することなく、外層の押圧により、内層を確実に加圧することができる。
【００１８】
請求項３記載の発明の手段は、請求項１または２記載の発明において、第１逆止弁体及び第２逆止弁体を、リング片と、該リング片と連結片を介して、該連結片を基端として揺動可能に、容器本体の本体口部若しくはベースカップの通気孔を塞ぐ開閉弁とから構成したこと、を加えたものである。
【００１９】
請求項３記載の発明にあっては、外層の押圧による内層内の加圧によって、第１逆止弁体の揺動可能な開閉弁が本体口部を開放して、内容物を注出することができる。また、外層の押圧の停止による内層内の減圧によって、開閉弁が本体口部を閉塞し、内容物の容器本体内への逆流を防止するとともに、外部の空気の進入を阻止する。
【００２０】
一方、外層に対する押圧解除によって、剥離した内層と外層との間が、減圧状態となるため、第２逆止弁体の開閉弁がベースカップの通気孔を開放し、外部の空気を、通気孔を通じて空気導入部から内層と外層との間に導入し、外層を素早く元の形状まで復元することができる。
【００２１】
請求項４記載の発明の手段は、請求項１、２または３記載の発明において、ベースカップに、容器本体の底板壁に対して、パーティングラインに押圧力を作用させる押圧機能部を設けたこと、にある。
【００２２】
請求項４記載の発明にあっては、ベースカップの押圧機能部によって、容器本体の底部にベースカップを外嵌組付けすると、容器本体の底板壁を構成する外層の食い切り部に、パーティングラインに沿って底割れ状のスリットを開口させることができ、この開口したスリットをそのまま、空気導入部として用いることができる。
【００２３】
請求項５記載の発明の手段は、請求項１、２、３または４記載の発明において、容器本体の本体口部に、上部を開口して内容物の流路の一部を構成し、櫛体を取付ける取り付け部と、容器本体の本体口部に組付き固定する組付き筒と有する取り付け部材を設けたこと、にある。
【００２４】
請求項５記載の発明にあっては、取り付け部材を介して、櫛体を容器本体の本体口部に取付けてもよい。取り付け部材の取り付け部も容器本体の本体口部と連通して流路の一部を構成するため、取り付け部材の内部に、第１逆止弁体を組付ける部材を設けて、流路を開閉する第１逆止弁体を簡単に組付けることができる。
【００２５】
請求項６記載の発明の手段は、請求項１、２、３、４または５記載の発明において、櫛体の一方の側面に、櫛歯片を設けたこと、を加えたものである。
【００２６】
請求項６記載の発明にあっては、櫛体の一方の側面に櫛歯片を設けたため、通常の櫛と同様に、容器本体の胴部を握って、頭髪をブラッシングする状態で、内容物を塗布することができる。
【００２７】
請求項７記載の発明の手段は、請求項１、２、３、４または５記載の発明において、櫛体の上面に、櫛歯片を起立設したこと、を加えたものである。
【００２８】
請求項７記載の発明にあっては、櫛歯片を櫛体の上面に起立設したため、櫛歯片の間に内容物を注出する注出孔と櫛歯片とを櫛体として一体的に成形することが容易となる。
【００２９】
【発明の実施の形態】
以下、本発明の実施の形態について図面を参照にしながら説明する。
図１は、本発明における櫛歯容器の一実施例を示す正面図である。櫛歯容器は、容器本体１、容器本体１の本体口部６に組付けた取り付け部材２０、該取り付け部材２０に組付き固定した櫛体６０、及び容器本体１の底部に密に外嵌組付けしたベースカップ４０と、から構成している。
【００３０】
図２は、図１に示す櫛歯容器の上下部分と容器本体１の半分を縦断面図とした図である。容器本体１は、押圧による弾性変形およびこの変形の回復が可能な外層２と、この外層２に対して相溶性の低い合成樹脂で、萎み変形自在で剥離可能な内層３が積層された積層構造を有しており、胴部４の上部に肩部５を介して短円筒状の本体口部６を設けている。本体口部６の外周部には螺条７を刻設し、該螺条７の上部に、係合溝部８と、係止突条９とを周設している。
【００３１】
胴部４の下端部には、段部１０を介して、有底筒形状の底部１２を連設し、この底部１２に係合部１１を周設すると共に、該係合部１１の下部にＯリング１７を外嵌する凹溝１６を周設し、底部１２の外層２に、外部の空気を内層３と外層２との間に流入する空気導入部１５を開口している。
【００３２】
図３に示すように、容器本体１の本体口部６には、本体口部６の開口を開閉する第１逆止弁体３０を設けるとともに、櫛体６０を取り付ける取り付け部材２０を組付き固定している。なお、櫛体６０は、取り付け部材２０を介することなく、直接容器本体１の本体口部６に設けてもよい。
【００３３】
第１逆止弁体３０は、リング状のリング片３１と、該リング片３１と連結片３２を介して、該連結片３２を基端として、上下方向への揺動が可能な円盤状の開閉弁３３を連設した逆止弁３４と、本体口部６の開口に組付ける組付け部材である弁座体３５とから構成している。
【００３４】
弁座体３５は、本体口部６内に嵌入する有頂円筒状の開口筒片３６を垂下設し、頂壁３７の周端部に、本体口部６に外嵌して、本体口部６の係合溝部８及び突周条９に係止する係止筒片３８を垂下設し、頂壁３７の外周部に、シール筒片３９を起立設した構成となっている。
【００３５】
シール筒片３９の内周部には、リング片３１の上端面を押えて、逆止弁３４の浮上を防止する係止突条３９ａが形成され、リング片３１がシール筒片３９内の頂壁３７に上に密嵌入して、内容物の逆流及び外部の空気の流入を不能に、開閉弁３３が本体口部６を閉塞する。
【００３６】
取り付け部材２０は、第１逆止弁体３０のシール筒３９に密に嵌入する嵌入筒片２１と、本体口部６の螺条７に螺合する螺溝２２を内周面に刻設した組付き筒２３と、肩部２４を介して連設され、組付筒２３を外から覆う外枠部２５と、肩部２４から起立設して、内容物の流出路２７を構成する円筒状の取り付け部２６とから構成している。取り付け部２６の上部内周面には、内鍔状に突周設した鍔部２８ａから起立設した内筒片２８と、該内筒片２８の上部に係合内周条２９とを設けている。
【００３７】
取り付け部２６には、複数の櫛歯片６１設けた櫛体６０を密に組付けている。櫛体６０は、取り付け部材２０の流路２７と連通する注出路６３を構成する柄部６２と、該柄部６２の下端に垂下設した組付き筒片６４と、柄部６２の一方の側面に、直列かつ等間隔に起立設した複数の櫛歯片６１と、注出路６３を流通してきた内容物を櫛歯片６１の間に注出する複数の注出孔６５とを有している。なお、注出孔６５は、櫛歯片６１の間のみならず、例えば、櫛歯片６１の中間部まで連通する注出路６３を形成し、該櫛歯片６１の中間部に設けてもよく、その他、内容物が櫛歯片６１を伝わって頭髪に塗布することができる位置に設ければよい。
【００３８】
櫛体６０の組付き筒片６４は、取り付け部２６の内筒片２８に密嵌合し、組付き筒片６４の外周面に設けた係合外周条６６が、取り付け部２６の内周面に設けた係合内周条２９と係合し、取り付け部材２０と櫛体６０のシール性を高めて密に嵌合組付きする。
【００３９】
図４に示すように、外嵌した有底円筒状のベースカップ４０は、底部１２に外嵌する筒壁４１と、外部の空気の流入路となる通気孔４４を設けたカップ底部４３とから成っている。筒壁４１の内周面上部には、容器本体１の底部１２の係合部１１と係合する係止周条４２を設けている。ベースカップ４０を、容器本体１の底部１２に外嵌すると、係合部１１と係止周条４２が係合するとともに、Ｏリング１７が筒壁４１の内周面に密着し、筒壁４１の上端が、底部１２の段部１０に当接して、密に外嵌組付きする構成となっている。
【００４０】
ベースカップ４０の通気孔４４の周囲には、通気孔４４を開閉する第２逆止弁体５０を組付け保持する短筒状の弁座筒４６を起立設している。
【００４１】
図５は、図２の横断面Ｘ−Ｘ矢視図であり、ベースカップ４０を外嵌した容器本体１の底面図である。ベースカップ４０の筒壁４１は、パーティングラインＰ上の寸法が、パーティングラインＰと直交する寸法よりも長径となっている容器本体１の楕円形状の底板壁１３に対して、底板壁１３のパーティングラインＰ上の長径よりも短径の真円筒形状とした、押圧機能部４５を設けている。
【００４２】
図６（ａ）に示すように、底部１２には、底板壁１３に連設して、パーティングラインPに沿って、内層３と外層２とをシールした食い切り部１４が突条状に形成されている。
【００４３】
図６（ｂ）に示すように、底部１２に、押圧機能部４５を設けたベースカップ４０を強引に外嵌組付けすると、押圧機能部４５が、パーティングラインＰに沿って突条状の食い切り部１４を押圧し、食い切り部１４をスリット開口する。この開口したスリットを、空気導入部１５として用いている。
【００４４】
ベースカップ４０に押圧機能部４５を設けたため、ベースカップ４０を容器本体１の底部１２に外嵌組付けする一の工程で、底部１２に空気導入部１５を形成することができ、工程数が削減して、生産性を向上することができる。なお、本例に限らず、ベースカップ４０を外嵌組付けする前に、食い切り部１４を押圧して空気導入部１５を形成し、その後、ベースカップ４０を底部１２に外嵌組付けすることも可能である。
【００４５】
食い切り部１４を開口して底割れ状の空気導入部１５とした場合であっても、底部１２には、有底円筒状のベースカップ４０を外嵌組付けしているため、このベースカップ４０が外殻体として機能し、底部１２の機械的強度を補強しているため、底部１２の座機能が低下する等の不都合を生じない。
【００４６】
第2逆止弁体５０は、ベースカップ４０の弁座筒４６に密嵌入して組付くリング状のリング片５１と、該リング片５１と連結片５２を介して、円盤状の開閉弁５３を連設している。開閉弁５３は、連結片５２を基端として上下方向への揺動が可能であり、逆止弁として機能する。
【００４７】
染毛剤等の内容物は、容器本体１の胴部４の押圧によって、櫛体６０がどのような方向となっていたとしても、内層３内が確実に加圧状態となり、第１逆止弁体３０の機能により、本体口部６が開口されるため、取り付け部材２０の流路２７及び櫛体６０の注出路６３を流通して、注出孔６５から内容物が注出され、櫛歯片６１でブラッシングしながら内容物を頭髪に塗布することができる。
【００４８】
胴部４の押圧を解除すると、加圧状態であった内層３内が減圧状態となり、第１逆止弁体３０を越えて流出した内容物と外部の空気を吸引するように作用するが、第１逆止弁体３０の機能により、開閉弁３３が本体口部６を閉塞するため、外部の空気を内層３内に吸引せず、内容物の内層３内への逆流を不能にする。
【００４９】
また、胴部４の押圧を解除すると、外層２は、弾性復元力により元の形状へ復元を開始するが、外層２から剥離した内層３は、第１逆止弁体３０の機能により、外部の空気が進入しないため、萎み状に減容変形したままとなり、外層２と内層３との間が減圧状態となる。
【００５０】
外層２と内層３との間に隙間が形成されると、外層２と内層３との間が減圧状態となると、第２逆止弁体５０の開閉弁５３が連結片５２を基端として底部１２方向に揺動し、ベースカップ４０の通気孔４４が開放され、この通気孔４４から外部の空気を空気導入部１５に導入して、外層２と内層３との間に空気を流入し、素早く外層２を元の形状に復元する。
【００５１】
再び、容器本体１の胴部４を押圧すると、外層２と内層３との間が確実に加圧状態となるため、第２逆止弁体５０の機能により、通気孔４４が開閉弁５３で閉塞され、空気導入部１５と外気の流通を遮断し、外層２と内層３との間に導入された空気の流出を防止する。
【００５２】
ベースカップ４０は、容器本体１の底部１２の凹溝１６に設けたＯリング１７を介して、底部１２に密に外嵌しているため、底部１２とベースカップ４０の機密性が向上し、外部の空気を底部１２と筒壁４１との間から進入させず、通気孔４４から導入した空気を外部に漏出しない。
【００５３】
このため、胴部４を押圧すると、外層２と内層３との間に存在する空気を介して、萎み変形した内層３内の内容液が確実に加圧され、再び第１逆止弁体３０の開閉弁３３が本体口部６を開放して、櫛歯片６１でブラッシングしながら、注出孔６５から内容物が確実に注出され、頭髪に内容物を塗布することができる。
【００５４】
図７は、本発明の櫛歯容器の他の実施例を示す正面図である。図７に示すように、櫛歯片６１を柄部６２の上面に起立設したものを用いることもできる。
【００５５】
【発明の効果】
本発明は、上記した構成になっているので、以下に示す効果を奏する。
請求項１記載の手段にあっては、第１逆止弁体の機能により、内層内に、本体口部から流出した内容物の逆流や外部の空気が進入することがない。また、第２逆止弁体の機能より、剥離した内層と外層との間に外部の空気を確実に導入して、素早くスクイズ変形した外層を元の形状に復元して、櫛歯容器の良好な外観を維持し、外層と内層との間に導入した空気を介して、櫛歯容器の方向性を問わず、外層の押圧により減容変形した内層内を確実に加圧して、最後まで円滑な注出操作を維持することができ、操作性の優れた櫛歯容器を提供することができる。
【００５６】
また、パーティングラインに沿って外層に形成された食い切り部を開口したものを空気導入部として用いたため、相溶性の殆ど無い外層部分と内層部分との積層構造によって容易に発生する底割れをそのまま空気導入部として用いることができ、成形機の設計変更や、面倒な後加工操作を必要とすることなく、処理工数を低減して、生産性の高い櫛歯容器を提供することができる。
【００５７】
容器本体の底部の食い切り部を開口して空気導入部とした場合であっても、容器本体の底部にベースカップを外嵌して、容器本体の底部を補強し、座機能が低下する不都合を発生することはなく、底部分の形態を安定に維持した櫛歯容器を提供できる。
【００５８】
請求項２記載の発明にあっては、Ｏリングを介して、ベースカップが容器本体の底部に外嵌組付きしているため、通気孔から導入した空気を、底部とベースカップの間から漏出することなく、減容変形した内層と外層との間に空気を流入して、素早く外層を元の形状に復元することができ、櫛歯容器の操作性を向上することができる。
【００５９】
また、容器本体をスクイズ変形した際には、外層と内層との間に流入した空気を漏出することなく、外層の押圧によって内層内の内容物を確実に加圧して、内容物の円滑な注出操作性を維持することができる。
【００６０】
請求項３記載の発明にあっては、第１逆止弁体及び第２逆止弁体を、リング片と、連結片を介して連結した円盤状の開閉弁とから構成したため、逆止弁体の形成が容易であり、本体口部若しくは通気孔のような開口部分に逆止弁機能を容易に付設することができ、また、部材の共通化が可能となるため、櫛歯容器の生産性を向上することができる。
【００６１】
請求項４記載の発明にあっては、ベースカップに、パーティングラインに沿って押圧力を作用させる押圧機能部を設けたため、ベースカップを外嵌組付けする一つの工程で空気導入部を形成することが可能となり、工程数を削減して、生産性の高い櫛歯容器を提供することができる。
【００６２】
請求項５記載の発明にあっては、取り付け部材を介して、櫛体を容器本体に取付けているため、該取り付け部材の内部に第１逆止弁体を組付けるための部材を設け、流路を開閉する第１逆止弁体を、容易に組付けることができる。
【００６３】
請求項６記載の発明にあっては、櫛体の一方の側面に複数の櫛歯片を設けたため、通常の櫛と同様に、頭髪をブラッシングする状態で、内容物を塗布することができ、良好な使用感を得ることができる。
【００６４】
請求項７記載の発明にあっては、櫛体の上面に複数の櫛歯片を設けたため、注出孔、櫛歯片を設けた櫛体を簡単に一体成形することができ、生産性の高い櫛歯容器を提供することができる。
【図面の簡単な説明】
【図１】  本発明の櫛歯容器の一実施例を示す、櫛歯容器の正面図。
【図２】  図１に示す櫛歯容器の上下部及び容器本体の半分の縦断面図。
【図３】  図１に示す櫛歯容器の取り付け部材部分の構造を示す一部拡大縦断面図。
【図４】  図１に示す櫛歯容器の底部部分の構造を示す一部拡大縦断面図。
【図５】  容器本体の底部を示す、図１の横断面Ｘ―Ｘ矢視図。
【図６】  （ａ）パーティングライン上の食い切り部を示す容器本体の底部の一部縦断面図、（ｂ）食い切り部をスリット開口した空気導入部を示す容器本体の底部の一部縦断面図。
【図７】  本発明の櫛歯容器の他の実施例を示す、櫛歯容器の正面図。
【符号の説明】
１．    容器本体
２．    外層
３．    内層
４．    胴部
５．    肩部
６．    本体口部
７．    螺条
８．    係合溝部
９．    突周条
１０．  段部
１１．  係合部
１２．  底部
１３．  底板壁
１４．  食い切り部
１５．  空気導入部
１６．  凹溝
１７．  Ｏリング
２０．  取り付け部材
２１．  嵌入筒片
２２．  螺溝
２３．  組付き筒
２４．  肩部
２５．  外枠部
２６．  取り付け部
２７．  流路
２８．  内筒片
２８ａ．鍔部
２９．  係合内周条
３０．  第１逆止弁体
３１．  リング片
３２．  連結片
３３．  開閉弁
３４．  逆止弁
３５．  弁座体
３６．  開口筒片
３７．  頂壁
３８．  係止筒片
３９．  シール筒片
３９ａ．係止突条
４０．  ベースカップ
４１．  筒壁
４２．  係止周条
４３．  カップ底部
４４．  通気孔
４５．  押圧機能部
４６．  弁座筒
５０．  第２逆止弁体
５１．  リング片
５２．  連結片
５３．  開閉弁
６０．  櫛体
６１．  櫛歯片
６２．  柄部
６３．  注出路
６４．  組付き片
６５．  注出孔
６６．  係合外周条
Ｐ  ．  パーティングライン
【図１】
0003994147.tif 000002
【図２】
0003994147.tif 000003
【図３】
0003994147.tif 000004
【図４】
0003994147.tif 000005
【図５】
0003994147.tif 000006
【図６】
0003994147.tif 000007
【図７】
0003994147.tif 000008